(57)【特許請求の範囲】
【請求項１】
測位を行う測位手段と、この測位手段が取得した測位データおよび当該測位データが取得された時刻を示す時刻データを含む単位データを時系列的に複数記憶する記憶手段と、この記憶手段が時系列的に記憶している複数の単位データのうち始点データとして設定した単位データと終点データとして設定した単位データと前記始点データおよび前記終点データを除いた複数の単位データのうちから選択した幾つかの単位データとを送信手段から測位サーバに送信可能な制御手段とを備えた測位端末と、
受信手段が前記測位端末から受信した単位データに基づいて前記測位端末の時系列的な位置の変化を検出し、検出結果を報知手段に報知させる制御手段を備えた測位サーバとを具備してなることを特徴とする測位システム。
【請求項２】
前記測位端末において、前記制御手段は、選択した幾つかの単位データを前記送信手段から前記測位サーバに送信させたのち、前記記憶手段が時系列的に記憶している複数の単位データのうちから前記測位サーバに送信させていない単位データを選択し、選択した単位データを前記送信手段から前記測位サーバに送信させることを特徴とする請求項１記載の測位システム。
【請求項３】
前記測位端末において、前記制御手段は、測位データに基づいて示される自端末の位置および時刻データに基づいて示される時刻のうちの少なくともいずれかを選択基準として、前記記憶手段が時系列的に記憶している複数の単位データのうちから単位データを選択することを特徴とする請求項１または２記載の測位システム。
【請求項４】
前記測位端末において、前記制御手段は、選択した時刻データに基づいて示される時刻の間隔が所定時間以上となるように、前記記憶手段が時系列的に記憶している複数の単位データのうちから単位データを選択することを特徴とする請求項３記載の測位システム。
【請求項５】
測位端末から受信した単位データに基づいて測位端末の時系列的な位置の変化を検出し、検出結果を報知させるように構成された測位サーバを具備してなる測位システム内の測位端末であって、
測位を行う測位手段と、
この測位手段が取得した測位データおよび当該測位データが取得された時刻を示す時刻データを含む単位データを時系列的に複数記憶する記憶手段と、
この記憶手段が時系列的に記憶している複数の単位データのうち始点データとして設定した単位データと終点データとして設定した単位データと前記始点データおよび前記終点データを除いた複数の単位データのうちから選択した幾つかの単位データとを送信手段から測位サーバに送信可能な制御手段とを備えたことを特徴とする測位端末。
【請求項６】
測位を行って取得した測位データおよび当該測位データが取得された時刻を示す時刻データを含む単位データを時系列的に複数記憶し、時系列的に記憶している複数の単位データのうち始点データとして設定した単位データと終点データとして設定した単位データと前記始点データおよび前記終点データを除いた複数の単位データのうちから選択した幾つかの単位データとを測位サーバに送信可能に構成された測位端末を具備してなる測位システム内の測位サーバであって、
受信手段が測位端末から受信した複数の単位データに基づいて前記測位端末の時系列的な位置の変化を検出し、検出結果を報知手段に報知させる制御手段を備えたことを特徴とする測位サーバ。
【発明の詳細な説明】
【０００１】
【発明の属する技術分野】
本発明は、測位端末から測位データを測位サーバに送信するように構成された測位システム、前記測位システム内の測位端末および測位サーバに関する。
【０００２】
【発明が解決しようとする課題】
従来より、測位サーバにおいて、測位機能を有する例えば携帯情報端末から測位データを受信することによって、携帯情報端末を携帯した人の位置を検出することが可能となる測位システムが供されている。ところで、この場合、携帯情報端末がＧＰＳ（Global Positioning System ）を利用して測位を行うような構成であれば、ＧＰＳ衛星からのＧＰＳ電波に基づいて測位を行うことから、携帯情報端末を携帯した人が例えば地下街や高層ビルの谷間などに居るような場合であって、携帯情報端末がＧＰＳ電波を的確に受信できないような場合には、携帯情報端末は、測位を行うことができず、これに伴って、測位サーバは、携帯情報端末を携帯した人の位置を検出することができないという問題がある。
【０００３】
そこで、特開平９−２８１２１２号公報には、携帯情報端末において、測位データを記憶部に記憶させ、ＧＰＳ電波を的確に受信できないような場合には、記憶部に記憶させている測位データを測位サーバに送信させることによって、ＧＰＳ電波を的確に受信できなくなる直前の携帯情報端末の位置を検出することが可能となる構成が開示されている。
【０００４】
しかしながら、このものによれば、ＧＰＳ電波を的確に受信できなくなる直前の携帯情報端末の位置を検出することは可能となるものの、どのような経路で当該位置に到着したかを示す移動軌跡を認識することはできず、従来のものは、このような点において、利便性に劣るものであった。
【０００５】
本発明は、上記した事情に鑑みてなされたものであり、その目的は、測位端末の移動軌跡を認識することを可能とし、それによって、利便性の向上を図ることができる測位システム、前記測位システム内の測位端末および測位サーバを提供することにある。
【０００６】
【課題を解決するための手段】
請求項１記載の測位システムによれば、測位端末において、測位手段が測位を行うと、記憶手段は、測位手段が取得した測位データおよび当該測位データが取得された時刻を示す時刻データを含む単位データを時系列的に複数記憶し、制御手段は、記憶手段が時系列的に記憶している複数の単位データのうち始点データとして設定した単位データと終点データとして設定した単位データと前記始点データおよび前記終点データを除いた複数の単位データのうちから選択した幾つかの単位データとを送信手段から測位サーバに送信させ、そして、測位サーバにおいて、受信手段が測位端末から複数の単位データを受信すると、制御手段は、それら複数の単位データに基づいて測位端末の時系列的な位置の変化を検出し、検出結果を報知手段に報知させるように構成したので、測位サーバにおいては、複数の単位データに基づいて示される測位端末の位置および時刻の相関関係を認識することによって、測位端末の移動軌跡を認識することができ、これによって、利便性の向上を図ることができる。
また、この場合は、複数の単位データを一度に送信するのではなく、複数の単位データのうちの幾つかの単位データを選択して送信するように構成したので、複数の単位データを一度に送信する場合と比較すると、１回あたりの単位データを送信するのに要する送信時間を短くすることができ、これによって、測位端末の大まかな移動軌跡を速やかに認識することができる。また、通信料金が通信時間に依存する従量課金制を採用している場合であれば、１回あたりの単位データを送信するのに要する送信コストを低減することをもできる。
【０００７】
請求項２記載の測位システムによれば、測位端末において、制御手段は、選択した幾つかの単位データを送信手段から測位サーバに送信させたのち、記憶手段が時系列的に記憶している複数の単位データのうちから測位サーバに送信させていない単位データを選択し、選択した単位データを送信手段から測位サーバに送信させるように構成したので、測位サーバにおいては、先に認識した測位端末の大まかな移動軌跡に、今回に測位端末から受信した単位データを付加することによって、先に認識した測位端末の移動軌跡よりも詳細な移動軌跡を認識することができる。
【０００８】
請求項３記載の測位システムによれば、測位端末において、制御手段は、測位データに基づいて示される自端末の位置および時刻データに基づいて示される時刻のうちの少なくともいずれかを選択基準として、記憶手段が時系列的に記憶している複数の単位データのうちから単位データを選択するように構成したので、測位サーバにおいては、測位端末の位置を選択基準とする場合であれば、例えば特定の地域に限って詳細な移動軌跡を認識することができ、また、時刻を選択基準とする場合であれば、例えば特定の時間帯に限って詳細な移動軌跡を認識することができるなど、特定の地域や特定の時間帯に応じて詳細度合いを自在に変更して移動軌跡を認識することができる。
【０００９】
請求項４記載の測位システムによれば、測位端末において、制御手段は、選択した時刻データに基づいて示される時刻の間隔が所定時間以上となるように、記憶手段が時系列的に記憶している複数の単位データのうちから単位データを選択するように構成したので、測位サーバにおいては、時系列的に均等な移動軌跡を認識することができる。
【００１０】
請求項５記載の測位端末によれば、測位手段が測位を行うと、記憶手段は、測位手段が取得した測位データおよび当該測位データが取得された時刻を示す時刻データを含む単位データを時系列的に複数記憶し、制御手段は、記憶手段が時系列的に記憶している複数の単位データのうち始点データとして設定した単位データと終点データとして設定した単位データと前記始点データおよび前記終点データを除いた複数の単位データのうちから選択した幾つかの単位データとを送信手段から測位サーバに送信させるように構成したので、このように構成された測位端末と、測位端末から受信した単位データに基づいて測位端末の時系列的な位置の変化を検出し、検出結果を報知させるように構成された測位サーバとを併用することによって、上記した請求項１に記載したように、測位サーバにおいては、測位端末の移動軌跡を認識することができる。
【００１１】
請求項６記載の測位サーバによれば、受信手段が測位端末から複数の単位データを受信すると、制御手段は、それら複数の単位データに基づいて測位端末の時系列的な位置の変化を検出し、検出結果を報知手段に報知させるように構成したので、このように構成された測位サーバと、測位を行って取得した測位データおよび当該測位データが取得された時刻を示す時刻データを含む単位データを時系列的に複数記憶し、時系列的に記憶している複数の単位データのうち始点データとして設定した単位データと終点データとして設定した単位データと前記始点データおよび前記終点データを除いた複数の単位データのうちから選択した幾つかの単位データとを測位サーバに送信可能に構成された測位端末とを併用することによって、上記した請求項１に記載したように、測位サーバにおいては、測位端末の移動軌跡を認識することができる。
【００１３】
【発明の実施の形態】
以下、本発明の測位端末を携帯情報端末に適用し、携帯情報端末を携帯した人の位置を検出する測位システムに適用した一実施例について、図面を参照して説明する。尚、ここでは、携帯情報端末がＧＰＳ（Global Positioning System ）を利用して測位を行う場合を説明する。
【００１４】
図１において、携帯情報端末１は、マイクロコンピュータを主体としてなるＣＰＵ２（本発明でいう測位端末の制御手段）に、ＧＰＳ測位部３（本発明でいう測位手段）、記憶部４（本発明でいう記憶手段）、電話通信部５（本発明でいう送信手段）、操作部６および表示部７が接続されて構成されている。
【００１５】
ＧＰＳ測位部３は、ＣＰＵ２から測位指令を入力すると、ＧＰＳ衛星８から受信したＧＰＳ電波を復調処理してＧＰＳデータを取得し、取得したＧＰＳデータを所定のアルゴリズムにしたがって演算し、詳しくは後述するネットワークアシストによる測位或いは単独による測位を行うことによって測位データを取得する。この場合、測位データは、携帯情報端末１の位置を示す緯度および経度を含んでいる。
【００１６】
記憶部４は、ＧＰＳ測位部３が取得した測位データを当該測位データが取得された時刻を示す時刻データと共に単位データとして一時的に記憶し、ＣＰＵ２から読出指令を入力すると、入力した読出指令に応じた単位データをＣＰＵ２に出力する。ここで、図２は、記憶部４が記憶している単位データの一例を示しており、この場合、測位データにおけるＸ(nn)、Ｙ(nn)（n は整数）は、それぞれ緯度、経度を表している。また、記憶部４は、詳しくは後述する測位タイミング、送信タイミングおよび選択条件をも記憶している。
【００１７】
電話通信部５は、ＣＰＵ２から送信指令を入力すると、後述する測位サーバ９との間で電話通信回線を確立し、電話通信を行い、記憶部４から読出された単位データを測位サーバ９に送信する。操作部６は、例えば「電源」キー、「機能」キーおよび「解除」キーなどの各種のキーを配設しており、いずれかのキーの操作を検出すると、キー操作検出をＣＰＵ２に出力し、ＣＰＵ２は、操作部６からキー操作検出を入力すると、入力したキー操作検出を解読し、解読結果に基づいて所定の処理を実行する。また、表示部７は、ＣＰＵ２から表示指令を入力すると、入力した表示指令に応じた表示情報を表示する。
【００１８】
測位サーバ９は、マイクロコンピュータを主体としてなるＣＰＵ１０（本発明でいう測位サーバの制御手段）、電話通信部１１（本発明でいう受信手段）、記憶部１２、地図データ記憶部１３、ＧＰＳ処理部１４、操作部１５および表示部１６（本発明でいう報知手段）が接続されて構成されている。
【００１９】
電話通信部１１は、携帯情報端末１との間で電話通信回線を確立し、電話通信を行い、携帯情報端末１から単位データを受信する。記憶部１２は、電話通信部１１が携帯情報端末１から受信した単位データを一時的に記憶し、ＣＰＵ１０から読出指令を入力すると、入力した読出指令に応じた単位データをＣＰＵ１０に出力する。地図データ記憶部１３は、地図データを記憶しており、ＣＰＵ１０から読出指令を入力すると、入力した読出指令に応じた地図データをＣＰＵ１０に出力する。
【００２０】
操作部１５は、例えばパーソナルコンピュータ端末のキーボードに相当する構成であって、いずれかのキーの操作を検出すると、キー操作検出をＣＰＵ１０に出力し、ＣＰＵ１０は、操作部１５からキー操作検出を入力すると、入力したキー操作検出を解読し、解読結果に基づいて所定の処理を実行する。また、表示部１６は、ＣＰＵ１０から表示指令を入力すると、入力した表示指令に応じた表示情報、この場合には、記憶部１２から読出された単位データや地図データ記憶部１３から読出された地図データが加工・編集された表示情報を表示する。
【００２１】
さて、上記した構成において、携帯情報端末１は、測位サーバ９との間で電話通信を可能な状況にあるときには、自己のＧＰＳ測位部３と測位サーバ９のＧＰＳ処理部１４との間で演算に必要な各種のデータを授受することによって、つまり、ネットワークアシストによる測位を行うことによって測位データを取得し、一方、測位サーバ９との間で電話通信を不可能な状況にあるときには、自己のＧＰＳ測位部３における処理のみによって、つまり、単独による測位を行うことによって測位データを取得する。尚、携帯情報端末１のＧＰＳ測位部３と測位サーバ９のＧＰＳ処理部１４との共同によって測位データを取得する場合は、ＧＰＳ処理部１４が補正を行うので、精度の高い測位データを取得でき、また、携帯情報端末１における消費電力を抑制できるなどの利点がある。
【００２２】
次に、上記した構成の作用について、図３ないし６も参照して説明する。尚、図３および図４は、携帯情報端末１が行う制御内容をフローチャートとして示している。
携帯情報端末１において、ＣＰＵ２は、まず、記憶部４に記憶されている測位タイミングを読出す（ステップＳ１）。この場合、測位タイミングとは、ＣＰＵ２がＧＰＳ測位部３に測位指令を出力するタイミング、つまり、ＧＰＳ測位部３が測位を行うタイミングを示すものであり、例えば携帯情報端末１の操作部６或いは測位サーバ９の操作部１５において測位タイミングを設定するための所定のキーが操作されることによって設定される。具体的には、例えば携帯情報端末１の操作部６において測位を行うための所定のキーが操作されたとき、携帯情報端末１のＣＰＵ２が測位を行うための所定時刻や所定時間を計時したとき或いは測位サーバ９から測位要求を受信したときなどである。
【００２３】
次いで、ＣＰＵ２は、記憶部４に記憶されている送信タイミングを読出す（ステップＳ２）。この場合、送信タイミングとは、ＣＰＵ２が電話通信部５に送信指令を出力するタイミング、つまり、記憶部４に記憶されている単位データを測位サーバ９に送信させるタイミングを示すものであり、例えば携帯情報端末１の操作部６或いは測位サーバ９の操作部１５において送信タイミングを設定するための所定のキーが操作されることによって設定される。具体的には、例えば携帯情報端末１の操作部６において送信を行うための所定のキーが操作されたとき、携帯情報端末１のＣＰＵ２が送信を行うための所定時刻や所定時間を計時したとき或いは測位サーバ９から送信要求を受信したときなどである。
【００２４】
そして、ＣＰＵ２は、測位タイミングになったか否かを検出し（ステップＳ３）、送信タイミングになったか否かを検出し（ステップＳ４）、処理を終了するか否かを判定する（ステップＳ５）。
【００２５】
さて、ＣＰＵ２は、例えば携帯情報端末１の操作部６において測位を行うための所定のキーが操作されたことによって、測位タイミングになったことを検出すると、ステップＳ３において「ＹＥＳ」と判定し、測位サーバ９との間で通信可能であるか否かを判定する（ステップＳ６）。そして、ＣＰＵ２は、電波環境が比較的良好な状況にあって測位サーバ９との間で通信が可能であれば、ステップＳ６において「ＹＥＳ」と判定し、上記したようにＧＰＳ測位部３と測位サーバ９のＧＰＳ処理部１４との間で演算に必要な各種のデータを授受することによって、つまり、ネットワークアシストによる測位を行うことによって測位データを取得する（ステップＳ７）。
【００２６】
これに対して、ＣＰＵ２は、電波環境が比較的劣悪な状況にあって測位サーバ９との間で通信が不可能であれば、ステップＳ６において「ＮＯ」と判定し、上記したようにＧＰＳ測位部３における処理のみによって、つまり、単独による測位を行うことによって測位データを取得する（ステップＳ８）。
【００２７】
そして、ＣＰＵ２は、このようにしてネットワークアシストによる測位或いは単独による測位を行ったことによって取得した測位データおよび当該測位データが取得された時刻を示す時刻データを含む単位データを記憶部４に記憶させ（ステップＳ９）、上記したステップＳ３に戻る。
【００２８】
ここで、ＣＰＵ２が上記した処理を繰返して行うことによって、記憶部４に、上記した図２に示したような複数の単位データが記憶されていると仮定する。
【００２９】
さて、ＣＰＵ２は、携帯情報端末１の操作部６において例えば送信するための所定のキーが操作されたことによって、送信タイミングになったことを検出すると、ステップＳ４において「ＹＥＳ」と判定し、記憶部４に記憶されている単位データを測位サーバ９に送信させるべく送信処理を行う（ステップＳ１０）。以下、送信処理について、図４を参照して説明する。
【００３０】
ＣＰＵ２は、まず、記憶部４に記憶されている選択条件を読出す（ステップＳ１１）。この場合、選択条件とは、ＣＰＵ２が記憶部４に記憶されている複数の単位データのうちから送信すべき単位データを選択するための条件を示すものであり、例えば携帯情報端末１の操作部６或いは測位サーバ９の操作部１５において選択条件を設定するための所定のキーが操作されることによって設定される。
【００３１】
ここで、選択条件が時刻データに基づいて示される時刻である場合を説明すると、ＣＰＵ２は、まず、最初の選択条件として例えば「測位時刻間隔が１０分以上」を設定する（ステップＳ１２）。そして、ＣＰＵ２は、始点データとして例えばデータナンバーが最大の単位データ、つまり、時刻データに基づいて示される時刻が最新の単位データ（測位データ「Ｘ(15)，Ｙ(15)」、時刻データ「１５：２５」）を設定すると共に、始点データとして設定した単位データを送信データとして選択する（ステップ１３）。次いで、ＣＰＵ２は、終点データとして例えばデータナンバーが最小の単位データ、つまり、時刻データに基づいて示される時刻が最旧の単位データ（測位データ「Ｘ(00)，Ｙ(00)」、時刻データ「１２：５０」）を設定すると共に、終点データとして設定した単位データを送信データとして選択する（ステップ１４）。
【００３２】
そして、ＣＰＵ２は、始点データとして設定した単位データを基準として、次点の単位データが存在するか否かを判定し（ステップＳ１５）、次点の単位データが存在すれば、ステップＳ１５において「ＹＥＳ」と判定し、次点の単位データ（測位データ「Ｘ(14)，Ｙ(14)」、時刻データ「１５：２１」）を抽出する  （ステップＳ１６）。そして、ＣＰＵ２は、抽出した単位データが先に設定した終点データであるか否かを判定し（ステップＳ１７）、抽出した単位データが先に設定した終点データでなければ、ステップＳ１７において「ＮＯ」と判定し、先に設定した最初の選択条件を満たしているか否かを判定する（ステップＳ１８）。
【００３３】
ここで、ＣＰＵ２は、測位時刻間隔、つまり、先に始点データとして設定した単位データの時刻データに基づいて示される時刻「１５：２５」と、今回に抽出した単位データの時刻データに基づいて示される時刻「１５：２１」との時刻間隔を判定し、この場合は、測位時刻間隔が「４」分であり、つまり、先に設定した最初の選択条件を満たしていないので、ステップ１８において「ＮＯ」と判定し、上記したステップＳ１５に戻る。
【００３４】
次いで、ＣＰＵ２は、先に抽出した単位データを基準として、さらに次点の単位データ（測位データ「Ｘ(13)，Ｙ(13)」、時刻データ「１５：０６」）を抽出する（ステップＳ１６）。そして、ＣＰＵ２は、この場合は、測位時刻間隔、つまり、先に抽出した単位データの時刻データに基づいて示される時刻「１５：２１」と、今回に抽出した単位データの時刻データに基づいて示される時刻「１５：０６」との時刻間隔が「１５」分であり、つまり、先に設定した最初の選択条件を満たしているので、ステップ１８において「ＹＥＳ」と判定し、今回に抽出した単位データを送信データとして選択し（ステップＳ１９）、上記したステップＳ１５に戻る。
【００３５】
これ以降、ＣＰＵ２は、上記した処理を繰返して行うことによって、最初の選択条件を満たす送信データとして、図５（ａ）に示すように、データナンバー  「１５」、「１３」、「１１」、「０８」、「０７」、「０５」、「０４」、  「０２」および「００」の９個の単位データを選択する。そして、ＣＰＵ２は、このようにして最初の選択条件を満たす送信データとして９個の単位データを選択したのち、ステップＳ１５において「ＮＯ」と判定し、送信指令を電話通信部５に出力することによって、送信データとして選択した９個の単位データをパケット化して電話通信部５から測位サーバ９に送信させる（ステップＳ２０）。
【００３６】
さて、測位サーバ９において、ＣＰＵ１０は、電話通信部１１が携帯情報端末１からパケット化された単位データを受信したことを検出すると、受信した単位データを記憶部１２に記憶させ、記憶させた単位データを解析することによって、地図データ記憶部１３から該当する地図データを読出し、図６（ａ）に示すように、読出した地図データ上に単位データに基づいて示される時系列的な位置の変化を重ねて表示部１６に表示させる。これによって、測位サーバ９においては、携帯情報端末１の移動軌跡を認識することが可能となる。
【００３７】
一方、携帯情報端末１において、ＣＰＵ２は、上記したようにして最初の選択条件を満たす単位データを測位サーバ９に送信させたのち、測位サーバ９に送信させていない単位データがあるか否かを判定する（ステップＳ２１）。ここで、ＣＰＵ２は、測位サーバ９に送信させていない単位データがあれば、ステップＳ２１において「ＹＥＳ」と判定し、先に単位データを測位サーバ９に送信させてから一定時間が経過したか否かを判定し（ステップＳ２２）、先に単位データを測位サーバ９に送信させてから一定時間が経過すれば、ステップＳ２２において「ＹＥＳ」と判定し、次の選択条件として例えば「測位時刻間隔が５分以上」を設定し（ステップ２３）、上記したステップＳ１３に戻る。
【００３８】
そして、ＣＰＵ２は、ここでは、始点データとして測位サーバ９に送信させていない単位データであってデータナンバーが最大の単位データ（測位データ「Ｘ(14)，Ｙ(14)」、時刻データ「１５：２１」）を設定すると共に、始点データとして設定した単位データを送信データとして選択する（ステップ１３）。次いで、ＣＰＵ２は、終点データとして測位サーバ９に送信させていない単位データであってデータナンバーが最小の単位データ（測位データ「Ｘ(01)，Ｙ(01)」、時刻データ「１３：１０」）を設定すると共に、終点データとして設定した単位データを送信データとして選択する（ステップ１４）。
【００３９】
そして、これ以降、ＣＰＵ２は、上記した処理を繰返して行うことによって、この場合であれば、次の選択条件を満たす送信データとして、図５（ｂ）に示すように、データナンバー「１４」、「１２」、「１０」、「０６」および「０１」の５個の単位データを選択し、送信データとして選択した５個の単位データをパケット化して電話通信部５から測位サーバ９に送信させる（ステップＳ２０）。
【００４０】
そして、測位サーバ９において、ＣＰＵ１０は、電話通信部１１が携帯情報端末１からパケット化された単位データを受信したことを検出すると、受信した単位データを記憶部１２に記憶させ、記憶させた単位データを解析することによって、図６（ｂ）に示すように、先に表示部１６に表示させた携帯情報端末１の移動軌跡に、今回に携帯情報端末１から受信した単位データを付加して表示部１６に表示させる。これによって、測位サーバ９においては、携帯情報端末１の移動軌跡を前回よりも詳細に認識することが可能となる。
【００４１】
これ以降、携帯情報端末１において、ＣＰＵ２は、記憶部４に記憶させている全ての単位データを測位サーバ９に送信させるまで上記した処理を繰返して行い、これに伴って、測位サーバ９において、ＣＰＵ１０は、先に表示部１６に表示させた携帯情報端末１の移動軌跡に、今回に携帯情報端末１から受信した単位データを付加して表示部１６に表示させる。これによって、測位サーバ９においては、携帯情報端末１の移動軌跡を段階的に詳細に認識することが可能となる。
【００４２】
ところで、以上は、携帯情報端末１において、先に単位データを送信してから一定時間が経過したことを条件として次の単位データを送信するように構成し、つまり、単位データの段階的な送信を時間をトリガとして行うように構成したものであるが、例えば測位サーバ９の操作部１５におけるキーの操作の検出などをトリガとして行うように構成することも可能である。
【００４３】
そして、このように構成すれば、測位サーバ９において、携帯情報端末１の詳細な移動軌跡を速やかに認識したいような場合であれば、測位サーバ９の操作部１５において所定のキーを操作することによって、携帯情報端末１の詳細な移動軌跡を速やかに認識することが可能となり、一方、携帯情報端末１の詳細な移動軌跡を認識したくないような場合（大まかな移動軌跡で十分な場合）であれば、測位サーバ９の操作部１５において所定のキーを操作しないことによって、携帯情報端末１からの不要な単位データの送信を強制的に禁止することができ、その分、送信コストを低減することが可能となる。
【００４４】
また、選択条件として時刻データに基づいて示される時刻を適用した場合を説明したものであるが、選択条件として測位データに基づいて示される位置を適用することも可能であり、具体的には、例えば「測位距離間隔が１００メートル以上」などを設定すれば、測位距離を基準とする携帯情報端末１の移動軌跡を認識することが可能となる。また、選択条件として時刻データに基づいて示される時刻と測位データに基づいて示される位置との双方を併用することによって、測位時刻および測位距離の双方を基準とする携帯情報端末１の移動軌跡を認識することが可能となる。
【００４５】
以上に説明したように本実施例によれば、携帯情報端末１において、測位を行って取得した測位データおよび当該測位データが取得された時刻を示す時刻データを含む単位データを時系列的に複数記憶し、それら時系列的に記憶している複数の単位データを測位サーバ９に送信し、そして、測位サーバ９において、携帯情報端末１から受信した複数の単位データに基づいて携帯情報端末１の時系列的な位置の変化を検出し、検出結果を表示するように構成したので、測位サーバ９においては、複数の単位データに基づいて示される携帯情報端末１の位置および時刻の相関関係を認識することによって、携帯情報端末１の移動軌跡を認識することができ、これによって、利便性の向上を図ることができる。
【００４６】
また、携帯情報端末１において、時系列的に記憶している複数の単位データのうちから選択条件を満たす幾つかの単位データを選択し、選択した幾つかの単位データを測位サーバ９に送信するように構成したので、複数の単位データを一度に送信する場合と比較すると、１回あたりの単位データを送信するのに要する送信時間を短くすることができ、これによって、測位端末の大まかな移動軌跡を速やかに認識することができる。また、通信料金が通信時間に依存する従量課金制を採用している場合であれば、１回あたりの単位データを送信するのに要する送信コストを低減することをもできる。
【００４７】
また、携帯情報端末１において、選択した幾つかの単位データを測位サーバ９に送信させたのち、時系列的に記憶している複数の単位データのうちから測位サーバ９に送信させていない単位データを選択し、選択した単位データを測位サーバ９に送信させるように構成したので、測位サーバ９においては、先に認識した携帯情報端末１の大まかな移動軌跡に、今回に携帯情報端末１から受信した単位データを付加することによって、先に認識した携帯情報端末１の移動軌跡よりも詳細な移動軌跡を認識することができる。
【００４８】
また、この場合は、携帯情報端末１において、選択条件として時刻データに基づいて示される時刻を適用し、選択した時刻データに基づいて示される時刻の間隔が所定時間（例えば１０分、５分）以上となるように、時系列的に記憶している複数の単位データのうちから単位データを選択するように構成したので、測位サーバ９においては、時系列的に均等な移動軌跡を認識することができる。
【００４９】
さらに、携帯情報端末１において、測位データに基づいて示される自端末の位置を選択基準として、時系列的に記憶している複数の単位データのうちから単位データを選択するように構成すれば、測位サーバ９においては、例えば特定の地域に限って詳細な移動軌跡を認識することができ、また、時刻データに基づいて示される時刻を選択基準として、時系列的に記憶している複数の単位データのうちから単位データを選択するように構成すれば、測位サーバ９においては、例えば特定の時間帯に限って詳細な移動軌跡を認識することができるなど、特定の地域や特定の時間帯に応じて詳細度合いを自在に変更して移動軌跡を認識することができる。
【００５０】
本発明は、上記した実施例にのみ限定されるものでなく、次のように変形または拡張することができる。
携帯情報端末を携帯した人の移動軌跡を認識する測位システムに限らず、測位端末を車載端末に適用することによって、自動車の位置を検出する測位システムに適用する構成であっても良い。そして、その場合であれば、車載端末から測位データおよび時刻データと共に、車両情報に関する車両情報データ（例えば速度を示す速度データや燃料の残量を示す燃料残量データなど）を測位サーバに送信し、それら速度や燃料の残量を逐一表示するように構成すれば、自動車の移動軌跡を認識することができるのみでなく、その場所における速度や燃料の残量の推移をも認識することができる。
【００５１】
過去の履歴から測位端末の移動速度を検出し、測位端末の移動速度に基づいて、測位タイミング、送信タイミング或いは選択条件を自動的に設定する構成であっても良い。
測位端末は、操作部や表示部などのヒューマンインタフェースを省略した構成であっても良く、また、マイクロホンおよびレシーバの音声通信機能を備えた携帯電話機であっても良い。また、電話通信部が測位端末と別体の構成であっても良く、つまり、測位端末を例えば携帯電話機などの電話機に接続することによって、単位データを測位サーバに送信可能となる構成であっても良い。
【００５２】
測位端末は、ネットワークアシストによる測位機能および単独による測位機能の双方を備える構成に限らず、いずれか一方の測位機能を備える構成であっても良い。
測位端末の位置を検出する方法としては、ＧＰＳを利用する方法に限らず、例えばＰＨＳ（Personal Handyphone System）などの無線通信機能を備えているものであれば、測位端末が位置登録している基地局の位置に基づいて測位端末の位置を検出する方法であっても良い。
測位サーバが取得した測位端末の移動軌跡を測位端末に送信することによって、測位端末の表示部に自端末の移動軌跡を表示する構成であっても良く、また、測位端末の移動軌跡を第三者の端末に送信することによって、第三者の端末の表示部に測位端末の移動軌跡を表示する構成であっても良い。
【図面の簡単な説明】
【図１】本発明の一実施例を示す機能ブロック図
【図２】単位データを示す図
【図３】フローチャート
【図４】図３相当図
【図５】作用を示す図
【図６】表示部における表示の一例を示す図
【符号の説明】
図面中、１は携帯情報端末（測位端末）、２はＣＰＵ（測位端末の制御手段）、３はＧＰＳ測位部（測位手段）、４は記憶部（記憶手段）、５は電話通信部（送信手段）、９は測位サーバ、１０はＣＰＵ（測位サーバの制御手段）、１１は電話通信部（受信手段）、１６は表示部（報知手段）である。
【図１】
0003812325.tif 000002
【図２】
0003812325.tif 000003
【図３】
0003812325.tif 000004
【図４】
0003812325.tif 000005
【図５】
0003812325.tif 000006
【図６】
0003812325.tif 000007